(57)【要約】【課題】  表示装置と有線接続が可能であり、通信装置と無線接続が可能な撮像装置において、撮像装置の省電力化を可能とする技術を提供する。【解決手段】  撮像装置１００は、通信装置３００と無線通信を行う無線通信回路（無線送信部１０６、無線送信部１０７）と、撮像装置１００と通信装置３００が無線接続され、かつ、撮像装置１００と表示装置２００が有線接続された状態で、表示装置２００と通信装置３００が無線接続されている場合に、撮像装置１００の無線通信回路の少なくとも一部の動作を停止する制御を行う通信制御部１０５及び電源制御部１０８と、を備える。【選択図】  図１
2019016953.tif 000002
【特許請求の範囲】
【請求項１】
表示装置と有線接続が可能であり、通信装置と無線接続が可能な撮像装置であって、
前記通信装置と無線通信を行う通信手段と、
前記撮像装置と前記通信装置が無線接続され、かつ、前記撮像装置と前記表示装置が有線接続された状態で、前記表示装置と前記通信装置が無線接続されている場合に、前記撮像装置の前記通信手段の少なくとも一部の動作を停止する制御を行う制御手段と、を備える撮像装置。
【請求項２】
前記制御手段は、前記撮像装置と前記通信装置が無線接続され、かつ、前記撮像装置と前記表示装置が有線接続された状態で、前記表示装置と前記通信装置の無線接続が確立したことに応じて、前記撮像装置と前記通信手段の少なくとも一部の動作を停止する制御を行うことを特徴とする請求項１に記載の撮像装置。
【請求項３】
前記制御手段は、前記撮像装置と前記通信装置が無線接続され、かつ、前記撮像装置と前記表示装置が有線接続された状態で、前記表示装置と前記通信装置の無線接続が確立した場合に、前記撮像装置のバッテリー残量が所定値以下になったことに応じて、前記撮像装置と前記通信手段の少なくとも一部の動作を停止する制御を行うことを特徴とする請求項１に記載の撮像装置。
【請求項４】
前記制御手段は、前記撮像装置と前記通信装置が無線接続され、かつ、前記撮像装置と前記表示装置が有線接続された状態で、前記表示装置と前記通信装置の無線接続が確立した場合に、撮像装置が通常モードから省電力モードに移行したことに応じて、前記撮像装置と前記通信手段の少なくとも一部の動作を停止する制御を行うことを特徴とする請求項１に記載の撮像装置。
【請求項５】
前記通信手段は、前記通信装置と無線通信を行う無線送信部と無線受信部とを有し、
前記通信手段の少なくとも一部は、前記無線送信部であることを特徴とする請求項１から４までのいずれか１項に記載の撮像装置。
【請求項６】
前記表示装置と前記撮像装置は、シリアル・デジタル・インターフェースにより有線接続されることを特徴とする請求項５に記載の撮像装置。
【請求項７】
前記通信手段は、前記通信装置と無線通信を行う無線送信部と無線受信部とを有し、
前記撮像装置と前記通信装置が無線接続され、かつ、前記撮像装置と前記表示装置が有線接続された状態で、前記表示装置と前記通信装置の無線接続が確立したことに応じて、前記撮像装置と前記無線送信部と前記無線受信部の動作を停止する制御を行うことを特徴とする請求項１から４までのいずれか１項に記載の撮像装置。
【請求項８】
前記表示装置と前記撮像装置は、双方向通信が可能なインターフェースにより有線接続されることを特徴とする請求項７に記載の撮像装置。
【請求項９】
撮像装置と、表示装置と、通信装置とを備える映像システムであって、
前記撮像装置と前記通信装置が無線接続され、かつ、前記撮像装置と前記表示装置が有線接続された状態で、前記表示装置と前記通信装置が無線接続されている場合に、
前記撮像装置は、前記撮像装置の通信手段の少なくとも一部の動作を停止する制御を行うことを特徴とする映像システム。
【請求項１０】
表示装置と有線接続が可能であり、通信装置と無線接続が可能な撮像装置の制御方法であって、
通信手段が、前記通信装置と無線通信を行う通信ステップと、
前記撮像装置と前記通信装置が無線接続され、かつ、前記撮像装置と前記表示装置が有線接続された状態で、前記表示装置と前記通信装置が無線接続されている場合に、前記撮像装置の前記通信手段の少なくとも一部の動作を停止する制御を行う制御ステップと、を有する撮像装置の制御方法。
【請求項１１】
撮像装置と、表示装置と、通信装置とを備える映像システムの制御方法であって、
前記撮像装置と前記通信装置が無線接続され、かつ、前記撮像装置と前記表示装置が有線接続された状態で、前記表示装置と前記通信装置が無線接続されている場合に、
前記撮像装置の通信手段の少なくとも一部の動作を停止する制御を行うことを特徴とする映像システムの制御方法。
【発明の詳細な説明】
【技術分野】
【０００１】
本発明は、撮像装置、映像システム、及びそれらの制御方法に関する。
【背景技術】
【０００２】
従来から、映像制作分野で用いられる映像システムでは、映像伝送のリアルタイム性や信頼性が求められるため、撮像装置と表示装置は有線接続されることが多い。近年、無線技術の信頼性向上や無線機器の価格低下等により、撮影現場においてタブレット端末等の通信装置と撮像装置とを無線接続し、通信装置を用いて撮像装置を無線通信で遠隔操作する技術が検討されている。さらに、タブレット端末等の通信装置と表示装置とを無線接続し、通信装置を用いて撮像装置と表示装置の両方を無線通信で遠隔操作する技術が検討されている。無線通信時の消費電力は、有線伝送時の消費電力よりも大きくなることが多い。撮像装置は、バッテリー駆動で使用されることが多いため、省電力化が求められる。
【０００３】
特許文献１では、Ｗ−ＣＤＭＡの第１の通信回路とＷｉＭＡＸの第２の通信回路のそれぞれの消費電力を検出し、消費電力の低い方の通信回路を選択することで、消費電力を低減する技術が提案されている。
【先行技術文献】
【特許文献】
【０００４】
【特許文献１】特開２００９−４９８７５号公報
【発明の概要】
【発明が解決しようとする課題】
【０００５】
上述した従来の技術では、２つの通信回路の消費電力を検出する機能が必要であった。また、有線接続と無線接続が混在する場合については考慮されていなかった。
【０００６】
そこで、本発明は、表示装置と有線接続が可能であり、通信装置と無線接続が可能な撮像装置において、撮像装置の省電力化を可能とする技術を提供することを目的とする。
【課題を解決するための手段】
【０００７】
上述した課題を解決するために、本発明の一実施形態に係る撮像装置は、表示装置と有線接続が可能であり、通信装置と無線接続が可能な撮像装置であって、通信装置と無線通信を行う通信手段と、撮像装置と通信装置が無線接続され、かつ、撮像装置と表示装置が有線接続された状態で、表示装置と通信装置が無線接続されている場合に、撮像装置の通信手段の少なくとも一部の動作を停止する制御を行う制御手段と、を備える。
【０００８】
また、本発明の一実施形態に係る撮像装置の制御方法は、表示装置と有線接続が可能であり、通信装置と無線接続が可能な撮像装置の制御方法であって、通信手段が、通信装置と無線通信を行う通信ステップと、撮像装置と通信装置が無線接続され、かつ、撮像装置と表示装置が有線接続された状態で、表示装置と通信装置が無線接続されている場合に、撮像装置の通信手段の少なくとも一部の動作を停止する制御を行う制御ステップと、を有する。
【発明の効果】
【０００９】
本発明によれば、撮像装置と有線接続された表示装置を利用して、表示装置と通信装置の無線通信を行うことにより、撮像装置の省電力化が可能となる。
【図面の簡単な説明】
【００１０】
【図１】実施の形態１に係る映像システムの構成を示すブロック図である。
【図２】実施の形態１に係る映像システムの動作について説明するためのフローチャートである。
【図３】実施の形態２に係る映像システムの構成を示すブロック図である。
【図４】実施の形態２に係る映像システムの動作について説明するためのフローチャートである。
【発明を実施するための形態】
【００１１】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１２】
（実施の形態１）
本実施の形態１では、撮像装置と表示装置との間の有線伝送路として、撮像装置から表示装置に対する一方方向の有線伝送路、例えばＳＤＩ（シリアル・デジタル・インターフェース）ケーブルを使用した例について説明する。
【００１３】
図１は、実施の形態１に係る映像システムの構成を示すブロック図である。図１の映像システムは、撮像装置１００と、表示装置２００と、通信装置３００とで構成される。有線伝送路５００を介して、撮像装置１００から表示装置２００に映像信号が伝送され、撮像装置１００により撮像して得られた画像が表示装置２００に表示される。通信装置３００は、撮像装置１００及び表示装置２００と無線通信により遠隔操作を行うことができる。例えば、通信装置３００は、ユーザ指示に従い、撮像装置１００の絞りやフォーカス等の撮影条件を変更したり、撮像により得られた画像の記録開始や記録終了の遠隔制御を行ったりすることができる。また、通信装置３００は、ユーザ指示に従い、表示装置２００の表示輝度調整や色調整等の遠隔制御を行うことができる。また、通信装置３００は、撮像装置１００から無線通信により映像信号を受信して表示したり、表示装置２００から無線通信により映像信号を受信して表示したりすることもできる。
【００１４】
撮像装置１００は、撮像部１０１、画像処理部１０２、補助データ重畳部１０３、送信部１０４、通信制御部１０５、無線送信部１０６、無線受信部１０７、電源制御部１０８、及び無線電源供給部１０９を備える。無線送信部１０６と無線受信部１０７は、無線通信部を構成する。撮像装置１００は、不図示のバッテリーを備え、バッテリー駆動で使用される。
【００１５】
撮像部１０１は、２次元撮像素子（撮像センサー）からなり、被写体の光学像を電気信号に変換して得られた映像信号を画像処理部１０２に出力する。画像処理部１０２は、撮像部１０１から入力された映像信号にγ補正等の各種画像処理を施し、映像伝送に適した形式へ信号フォーマットを変換して、変換後の映像信号を補助データ重畳部１０３に出力する。
【００１６】
補助データ重畳部１０３は、画像処理部１０２から入力された映像信号に対して、データパケット領域（アンシラリ領域）に、通信制御部１０５から出力された制御信号等の補助データ（アンシラリデータ）を重畳して、送信部１０４に出力する。ＳＤＩのデータパケット領域は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）２９１Ｍで規格化されている。データパケット領域には、ＳＭＰＴＥ規格で決められたデータ識別ワード（表示装置を制御するコマンドデータ等）が付加される。
【００１７】
送信部１０４は、補助データ重畳部１０３から入力された映像信号を、ＳＤＩケーブルで伝送可能な形式に変換して、有線伝送路５００を介して、表示装置２００に送信する。なお、送信部１０４は、撮像装置１００の出力端子にＳＤＩケーブルが接続されているか否かを検知する機能を有し、接続検知結果を通信制御部１０５に通知するようにしてもよい。
【００１８】
通信制御部１０５は、無線送信部１０６及び無線受信部１０７の動作を制御する。また、無線受信部１０７が受信した制御信号に応じて、無線送信部１０６を介して応答コマンドを通信装置３００へ無線送信するか、補助データ重畳部１０３と送信部１０４を介して有線伝送路５００経由で応答コマンドを通信装置３００へ送信するかを制御する。また、通信制御部１０５は、電源制御部１０８に対して、無線通信回路への電源を供給するか停止するかを指示する制御信号を出力する。
【００１９】
無線送信部１０６は、無線電源供給部１０９から電源を供給され、通信制御部１０５から入力される制御信号をＷｉ−Ｆｉ（登録商標）やＢｌｕｅｔｏｏｔｈ（登録商標）等の無線規格に従った形式の信号に変換して、通信装置３００に無線送信する。無線受信部１０７は、無線電源供給部１０９から電源を供給され、通信装置３００から無線送信された制御信号を受信して所定の変換処理を施して、通信制御部１０５に出力する。電源制御部１０８は、通信制御部１０５からの指示に従い、無線電源供給部１０９に無線通信回路の動作開始・動作停止の指示を出す。無線電源供給部１０９は、電源制御部１０８からの指示に従い、無線送信部１０６及び無線受信部１０７に対して電源の供給または停止を行う。
【００２０】
表示装置２００は、受信部２０１、画像処理部２０２、パネル制御部２０３、表示パネル２０４、補助データ解析部２０５、通信制御部２０６、無線送信部２０７、及び無線受信部２０８を備える。無線送信部２０７と無線受信部２０８は、無線通信部を構成する。表示装置２００は、ＡＣ電源により駆動されるものとするが、バッテリー駆動で使用されてもよい。
【００２１】
受信部２０１は、撮像装置１００から有線伝送路５００を介して伝送された映像信号を受信し、映像データを画像処理部２０２へ出力し、データパケット領域に重畳されている補助データを補助データ解析部２０５に出力する。
【００２２】
画像処理部２０２は、受信部２０１から入力された映像データにマトリクス変換やγ補正等の画像処理を施した後、パネル制御部２０３に出力する。パネル制御部２０３は、画像処理部２０２から入力された映像データを、表示パネル２０４の駆動に適切な電圧値に変換して、表示パネル２０４に出力する。表示パネル２０４は、液晶パネル等の二次元表示デバイスであり、映像データに基づく画像を表示する。
【００２３】
補助データ解析部２０５は、受信部２０１から入力された補助データ（アンシラリデータ）のデータパケットを解析し、パケット中に所定のデータ識別ワード（表示装置を制御するコマンドデータであることを示す識別ワード等）があるかを確認する。そして、表示装置２００の無線通信回路を制御するコマンドを検知したら、通信制御部２０６に制御信号を出力する。
【００２４】
通信制御部２０６は、補助データ解析部２０５から入力された制御信号に基づき、無線送信部２０７及び無線受信部２０８を制御する。無線送信部２０７は、通信制御部２０６から入力された制御信号をＷｉ−Ｆｉ（登録商標）やＢｌｕｅｔｏｏｔｈ（登録商標）等の無線規格に従った形式の信号に変換して、通信装置３００に無線送信する。無線受信部２０８は、通信装置３００から入力された制御信号を受信して所定の変換処理を施して、通信制御部２０６に出力する。
【００２５】
なお、受信部２０１で受信した映像データを、補助データ解析部２０５、通信制御部２０６、無線送信部２０７を介して、通信装置３００へ無線伝送してもよい。
【００２６】
通信装置３００は、無線送信部３０１、無線受信部３０２、通信制御部３０３、操作入力部３０４、及び表示パネル３０５を備える。無線送信部３０１は、通信制御部３０３から入力された制御信号をＷｉ−ＦｉやＢｌｕｅｔｏｏｔｈ等の無線規格に従った形式の信号に変換して、撮像装置１００又は表示装置２００に無線送信する。無線受信部３０２は、通信装置３００に入力された制御信号を受信して所定の変換処理を施して、通信制御部３０３に出力する。
【００２７】
通信制御部３０３は、ユーザ指示に従い、操作入力部３０４から入力された制御信号を適切なパケットに変換して、無線送信部３０１に出力する。また、無線受信部３０２から入力された制御信号を受信して、撮像装置１００や表示装置２００の設定状態などに関するグラフィック画像を表示パネル３０５に表示させる。
【００２８】
なお、表示装置２００から無線伝送された映像データを、無線受信部３０２、通信制御部３０３を介して、表示パネル３０５に表示してもよい。
【００２９】
図２は、実施の形態１に係る映像システムの動作について説明するためのフローチャートである。まず、撮像装置１００と通信装置３００との間の無線接続のリンク確立の動作について説明する。以下の動作は、撮像装置１００の無線通信部と通信装置３００の無線通信部との間で、無線通信により行われる。
【００３０】
ステップＳ３００で、通信装置３００は、ユーザからの撮像装置１００と無線接続を開始する指示に応じて、予め取得しているＳＳＩＤをブロードキャストすることで、無線通信先となる撮像装置１００を探索する。次に、ステップＳ１００で、撮像装置１００は、通信装置３００から送信されたＳＳＩＤが自身のＳＳＩＤと同じであるかを識別し、同じであれば、応答コマンドを通信装置３００に送信する。
【００３１】
ステップＳ３０１で、通信装置３００は、撮像装置１００からの応答コマンドを受けたことに応じて、撮像装置１００に対して認証要求コマンドを送信する。次に、ステップＳ１０１で、撮像装置１００は、通信装置３００からの認証要求コマンドに応答して、承認コマンドを通信装置３００に送信する。続いて、ステップＳ１０２で、撮像装置１００は、通信装置３００に対して認証要求コマンドを送信する。次に、ステップＳ３０２で、通信装置３００は、撮像装置１００からの認証要求コマンドに応答して、承認コマンドを撮像装置１００に送信する。
【００３２】
ステップＳ３０３で、通信装置３００は、撮像装置１００に対して、接続要求コマンドを送信する。次に、ステップＳ１０３で、撮像装置１００は、通信装置３００からの接続要求コマンドに応答して、応答コマンドを通信装置３００に送信する。
【００３３】
以上の動作により、撮像装置１００と通信装置３００との間の無線接続のリンクが確立する。なお、通信装置３００がマスターとなって、撮像装置１００と接続を行う動作を説明したが、撮像装置１００がマスターとなって、通信装置３００と接続を行ってもよい。
【００３４】
次に、撮像装置１００が、通信装置３００と無線接続された状態から、有線接続された表示装置２００を介して通信装置３００と無線接続された状態へ移行する動作について説明する。なお、撮像装置１００と表示装置２００が有線接続された状態で、撮像装置１００と通信装置３００との間の無線接続のリンクが確立したことに応じて、以下の動作を行ってもよい。また、撮像装置１００と表示装置２００が有線接続された状態で、撮像装置１００のバッテリー残量が所定値以下になったことに応じて、以下の動作を行ってもよい。また、撮像装置１００と表示装置２００が有線接続された状態で、撮像装置１００が通常モードから省電力モードに移行したことに応じて、以下の動作を行ってもよい。
【００３５】
ステップＳ１０４で、撮像装置１００は、有線接続された表示装置２００の無線通信回路を起動する制御を行う。具体的には、撮像装置１００の通信制御部１０５が、表示装置２００内の無線通信回路を起動する起動コマンドを含む補助データを、補助データ重畳部１０３に出力する。補助データ重畳部１０３は、画像処理部１０２から入力された映像信号に対して、表示装置２００内の無線通信回路を起動する起動コマンドを含む補助データをデータパケット領域に重畳して、送信部１０４に出力する。表示装置２００内の無線通信回路を起動する起動コマンドは、送信部１０４から有線伝送路５００を介して、表示装置２００に送信され、表示装置２００内の受信部２０１を介して、補助データ解析部２０５に入力される。
【００３６】
ステップＳ２０１で、補助データ解析部２０５は、受信部２０１から入力された補助データのデータパケットを解析し、表示装置２００内の無線通信回路を起動する起動コマンドを検知して、通信制御部２０６に起動制御信号を出力する。通信制御部２０６は、補助データ解析部２０５から入力された起動制御信号に応答して起動する。また、補助データ解析部２０５から入力された起動制御信号に基づき、無線送信部２０７及び無線受信部２０８を起動制御する。これにより、通信制御部２０６、無線送信部２０７、無線受信部２０８が起動し、不図示の電源回路から通信制御部２０６、無線送信部２０７、無線受信部２０８への給電が開始される。
【００３７】
ステップＳ１０５で、撮像装置１００は、表示装置２００に対して通信装置３００と無線接続するよう制御する。具体的には、撮像装置１００の通信制御部１０５が、通信装置３００との無線通信で用いているＳＳＩＤと、通信装置３００と無線接続する接続要求コマンドとを含む補助データを、補助データ重畳部１０３に出力する。補助データ重畳部１０３は、画像処理部１０２から入力された映像信号に対して、上記ＳＳＩＤと、接続要求コマンドとを含む補助データをデータパケット領域に重畳して、送信部１０４に出力する。上記ＳＳＩＤと接続要求コマンドは、送信部１０４から有線伝送路５００を介して、表示装置２００に送信され、表示装置２００内の受信部２０１を介して、補助データ解析部２０５に入力される。
【００３８】
ステップＳ２０２で、補助データ解析部２０５は、受信部２０１から入力された補助データのデータパケットを解析し、上記ＳＳＩＤと接続要求コマンドを検知し、通信制御部２０６に制御信号を出力する。通信制御部２０６は、補助データ解析部２０５から入力された制御信号に基づき、無線送信部２０７及び無線受信部２０８を制御する。そして、表示装置２００は、通信装置３００に対して上記ＳＳＩＤと認証要求コマンドを送信する。次に、ステップＳ３０４で、通信装置３００は、表示装置２００からの上記ＳＳＩＤと認証要求コマンドに応答して、承認コマンドを表示装置２００に送信する。続いて、ステップＳ３０５で、通信装置３００は、表示装置２００に対して、接続要求コマンドを送信する。次に、ステップＳ２０３で、表示装置２００は、通信装置３００からの接続要求コマンドに応答して、応答コマンドを通信装置３００に送信する。以上の動作により、表示装置２００と通信装置３００との間の無線接続のリンクが確立する。
【００３９】
ステップＳ３０６で、通信装置３００は、表示装置２００と通信装置３００との間の無線接続のリンクが確立したことを、撮像装置１００に通知する。
【００４０】
この状態で、撮像装置１００と通信装置３００との間で無線通信しなくても、撮像装置１００に有線接続された表示装置２００と、通信装置３００との間の無線接続を利用することで、撮像装置１００と通信装置３００との間で通信ができる。このため、Ｓ１０６で、撮像装置１００内の通信制御部１０５は、撮像装置１００の省電力化のため、無線電源供給部１０９から無線送信部１０６への電源供給を停止する制御信号を、電源制御部１０８に出力する。そして、電源制御部１０８は、通信制御部１０５からの制御信号に従い、無線電源供給部１０９に無線送信部１０６の動作停止の指示を出す。無線電源供給部１０９は、電源制御部１０８からの指示に従い、無線送信部１０６に対して電源供給を停止する。なお、無線電源供給部１０９から無線受信部１０７への電源供給は継続される。
【００４１】
ステップＳ３０７で、通信装置３００から撮像装置１００を遠隔制御するユーザ操作が行われた場合に、通信装置３００は、ユーザ操作コマンドを無線通信で撮像装置１００に送信する。ステップＳ１０７で、撮像装置１００は、有線接続された表示装置２００を介して、通信装置３００に応答する。具体的には、撮像装置１００の通信制御部１０５が、応答コマンドを含む補助データを、補助データ重畳部１０３に出力する。補助データ重畳部１０３は、画像処理部１０２から入力された映像信号に対して、応答コマンドを含む補助データをデータパケット領域に重畳して、送信部１０４に出力する。応答コマンドは、送信部１０４から有線伝送路５００を介して、表示装置２００に送信され、表示装置２００内の受信部２０１を介して、補助データ解析部２０５に入力される。
【００４２】
ステップＳ２０４で、補助データ解析部２０５は、受信部２０１から入力された補助データのデータパケットを解析し、応答コマンドを検知して、通信制御部２０６に出力する。通信制御部２０６は、補助データ解析部２０５から入力された応答コマンドを、無線送信部２０７を介して通信装置３００に送信するように制御する。これにより、撮像装置１００からの応答コマンドが、表示装置２００を介して通信装置３００に送信される。
【００４３】
ステップＳ３０８以降、再び、通信装置３００から撮像装置１００を遠隔制御するユーザ操作が行われた場合は、同様の動作が繰り返される。
【００４４】
以上のように、撮像装置１００と有線接続された表示装置２００を利用して、表示装置２００と通信装置３００の無線接続を確立した後、撮像装置１００の無線通信部の一部（無線送信部１０６）の動作を停止させる。これにより、撮像装置１００の省電力化を実現するとともに、ユーザは、通信装置３００を用いて撮像装置１００を無線通信で遠隔操作を継続することができる。撮像装置１００は、バッテリー駆動で使用されることが多いため、省電力化により使用可能時間を長くすることができる。
【００４５】
なお、表示装置２００と通信装置３００の無線接続が既に確立していた場合は、ステップＳ１０４，Ｓ１０５，Ｓ２０１〜Ｓ２０３、Ｓ３０４〜Ｓ３０５の処理は省略してもよい。この場合、撮像装置１００から通信装置３００へ、表示装置２００と通信装置３００の無線接続が確立しているかを問い合わせる等して、表示装置２００と通信装置３００の無線接続が確立している通知を通信装置３００から受けるようにしてもよい（Ｓ３０６）。
【００４６】
また、ステップＳ１０６で、無線電源供給部１０９から無線送信部１０６と無線受信部１０７への電源供給を停止するようにしてもよい。この場合、通信装置３００から撮像装置１００への通信は行えなくなるが、撮像装置１００から通信装置３００への通信は、表示装置２００を介して行うことができる。通信装置３００から撮像装置１００を遠隔操作しないユースケースであれば、このようにしても問題ない。例えば、撮像装置１００で撮像して得られた映像信号を、表示装置２００を介して通信装置３００に無線送信し、通信装置３００の表示パネルで撮像画像をユーザが確認する作業は継続できる。
【００４７】
（実施の形態２）
この実施の形態２では、撮像装置と表示装置の間の有線伝送路として、双方向通信が可能な有線伝送路（インターフェース）、例えばＨＤＭＩ（登録商標）ケーブルやＤｉｓｐｌａｙＰｏｒｔ（登録商標）ケーブルを使用した例について説明する。以下、実施の形態１との差分について詳細に説明する。
【００４８】
図３は、実施の形態２に係る映像システムの構成を示すブロック図である。図３において、図１と同一の構成要素ついては同一の符号を付し、その詳細な説明は繰り返さない。図３の映像システムは、撮像装置１１０と、表示装置２１０と、通信装置３００とで構成される。
【００４９】
有線伝送路５００，５０１は、同一のケーブル被覆内にあり、複合ケーブルで構成されている。有線伝送路５００は、映像・音声用の伝送路であり、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインを含む。有線伝送路５００は、撮像装置１１０から表示装置２１０に対する一方方向の伝送路である。有線伝送路５０１は、補助データや制御信号用の伝送路であり、ＨＤＭＩ規格におけるＣＥＣ（Ｃｏｎｓｕｍｅｒ  Ｅｌｅｃｔｒｏｎｉｃｓ  Ｃｏｎｔｒｏｌ）ライン、ＤｉｓｐｌａｙＰｏｒｔ規格におけるＡＵＸ（Ａｕｘｉｌｉａｒｙ）ラインを含む。有線伝送路５０１は、撮像装置１１０と表示装置２１０との間で双方向の伝送が可能な伝送路である。
【００５０】
撮像装置１１０内の通信制御部１１１は、無線送信部１０６及び無線受信部１０７の動作を制御する。また、無線受信部１０７から入力された制御信号に応じて、無線送信部１０６を介して応答コマンドを通信装置３００へ無線送信するか、又は有線伝送路５０１を介して応答コマンドを通信装置３００へ送信するかを制御する。また、通信制御部１１１は、電源制御部１０８に対して、無線通信回路への電源を供給するか停止するかを指示する制御信号を出力する。
【００５１】
表示装置２１０内の通信制御部２１１は、有線伝送路５０１を介して入力された制御信号を解析し、表示装置２１０の無線通信回路を制御するコマンドを検知したら、無線送信部２０７及び無線受信部２０８を制御する。また、通信制御部２１１は、無線受信部２０８が受信した制御信号を、有線伝送路５０１を介して、撮像装置１１０内の通信制御部１１１に送信する。
【００５２】
図４は、実施の形態２に係る映像システムの動作について説明するためのフローチャートである。ステップＳ１００〜Ｓ１０３，Ｓ３００〜Ｓ３０３の動作は、図２と同様である。
【００５３】
ステップＳ１１０で、撮像装置１１０は、有線接続された表示装置２１０の無線通信回路を起動する制御を行う。具体的には、撮像装置１１０の通信制御部１１１が、表示装置２１０内の無線通信回路を起動する起動コマンドを含む制御信号を、有線伝送路５０１を介して、表示装置２１０内の通信制御部２１１に送信する。具体的には、ＨＤＭＩケーブルのＣＥＣラインを用いる場合には、予め定義されたメーカー独自コマンドを送信する。ＤｉｓｐｌａｙＰｏｒｔケーブルのＡＵＸラインを用いる場合には、Ｉ２Ｃ通信（Ｉｎｔｅｒ−Ｉｎｔｅｇｒａｔｅｄ  Ｃｉｒｃｕｉｔシリアル通信）で所定のコマンドを送信する。
【００５４】
ステップＳ２１０で、表示装置２１０内の通信制御部２１１は、撮像装置１１０から入力された制御信号をデコードし、表示装置２１０内の無線通信回路を起動する起動コマンドを検知して、無線送信部２０７及び無線受信部２０８を起動制御する。これにより、無線送信部２０７、無線受信部２０８が起動し、不図示の電源回路から無線送信部２０７、無線受信部２０８への給電が開始される。
【００５５】
ステップＳ２１１で、通信制御部２１１は、表示装置２１０内の無線通信回路が起動したことを、有線伝送路５０１を介して、撮像装置１１０内の通信制御部１１１に通知する。
【００５６】
ステップＳ１１１で、撮像装置１１０は、表示装置２１０からの起動通知を受けたことに応じて、表示装置２１０に対して通信装置３００と無線接続するよう制御する。具体的には、撮像装置１１０内の通信制御部１１１が、通信装置３００との無線通信で用いているＳＳＩＤと、通信装置３００と無線接続する接続要求コマンドとを含む制御信号を、有線伝送路５０１を介して、表示装置２００内の通信制御部２１１に送信する。
【００５７】
ステップＳ２１２で、通信制御部２１１は、撮像装置１１０から入力された制御信号をデコードし、上記ＳＳＩＤと接続要求コマンドを検知し、無線送信部２０７及び無線受信部２０８を制御する。そして、表示装置２１０は、通信装置３００に対して上記ＳＳＩＤと認証要求コマンドを送信する。次に、ステップＳ３１０で、通信装置３００は、表示装置２１０からの上記ＳＳＩＤと認証要求コマンドに応答して、承認コマンドを表示装置２１０に送信する。続いて、ステップＳ３１１で、通信装置３００は、表示装置２１０に対して、接続要求コマンドを送信する。次に、ステップＳ２１３で、表示装置２１０は、通信装置３００からの接続要求コマンドに応答して、応答コマンドを通信装置３００に送信する。以上の動作により、表示装置２１０と通信装置３００との間の無線接続のリンクが確立する。
【００５８】
ステップＳ２１４で、通信装置３００は、表示装置２１０と通信装置３００との間の無線接続のリンクが確立したことを、撮像装置１１０に通知する。
【００５９】
この状態で、撮像装置１１０と通信装置３００との間で無線通信しなくても、撮像装置１１０に有線接続された表示装置２１０と、通信装置３００との間の無線接続を利用することで、撮像装置１１０と通信装置３００との間で通信ができる。このため、Ｓ１１２で、撮像装置１１０内の通信制御部１１１は、撮像装置１１０の省電力化のため、無線電源供給部１０９から無線送信部１０６及び無線受信部１０７への電源供給を停止する制御信号を、電源制御部１０８に出力する。そして、電源制御部１０８は、通信制御部１０５からの制御信号に従い、無線電源供給部１０９に無線送信部１０６及び無線受信部１０７の動作停止の指示を出す。無線電源供給部１０９は、電源制御部１０８からの指示に従い、無線送信部１０６及び無線受信部１０７に対して電源供給を停止する。
【００６０】
ステップＳ３１２で、通信装置３００から撮像装置１１０を遠隔制御するユーザ操作が行われた場合に、通信装置３００は、ユーザ操作コマンドを無線通信で表示装置２１０に送信する。ステップＳ２１５で、表示装置２１０は、通信装置３００から無線受信部２０８を介して受信したユーザ操作コマンドを、通信制御部２１１を介して、有線伝送路５０１を経由して、撮像装置１１０に送信する。これにより、通信装置３００からのユーザ操作コマンドが、表示装置２１０を介して撮像装置１１０に転送される。
【００６１】
ステップＳ１１３で、撮像装置１１０は、有線接続された表示装置２１０を介して、通信装置３００に応答する。具体的には、撮像装置１１０の通信制御部１１１が、応答コマンドを含む制御信号を、有線伝送路５０１を介して、表示装置２１０に送信する。ステップＳ２１６で、表示装置２１０の通信制御部２１１は、撮像装置１１０から受信した制御信号を、無線送信部２０７を介して、通信装置３００に送信する。これにより、撮像装置１１０からの応答コマンドが、表示装置２１０を介して通信装置３００に転送される。
【００６２】
ステップＳ３１３以降、再び、通信装置３００から撮像装置１１０を遠隔制御するユーザ操作が行われた場合は、同様の動作が繰り返される。
【００６３】
以上のように、撮像装置１１０と有線接続された表示装置２１０を利用して、表示装置２１０と通信装置３００の無線接続を確立した後、撮像装置１１０の無線通信部（無線送信部１０６と無線受信部１０７の両方）の動作を停止させる。これにより、撮像装置１１０の省電力化を実現するとともに、ユーザは、通信装置３００を用いて、表示装置２１０を介して、撮像装置１１０を無線通信で遠隔操作を継続することができる。撮像装置１１０は、バッテリー駆動で使用されることが多いため、省電力化により使用可能時間を長くすることができる。
【００６４】
なお、表示装置２１０と通信装置３００の無線接続が既に確立していた場合は、ステップＳ１１０，Ｓ１１１，Ｓ２１０〜Ｓ２１３、Ｓ３１０〜Ｓ３１１の処理は省略してもよい。この場合、例えば、撮像装置１１０から表示装置２１０（又は通信装置３００）へ、表示装置２１０と通信装置３００の無線接続が確立しているかを問い合わせる等する。そして、表示装置２１０と通信装置３００の無線接続が確立している旨の通知を表示装置２１０（又は通信装置３００）から撮像装置１１０が受信する（Ｓ２１４）。
【００６５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。上記コンピュータは、例えば、ＣＰＵやＭＰＵ等のプロセッサーで構成される。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００６６】
１００，１１０  撮像装置
２００，２１０  表示装置
３００  通信装置
１０５  通信制御部
１０６  無線送信部
１０７  無線受信部
１０８  電源制御部
１０９  無線電源供給部
【図１】
2019016953.tif 000003
【図２】
2019016953.tif 000004
【図３】
2019016953.tif 000005
【図４】
2019016953.tif 000006